【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】  車体前部で、座席シートより前方に位置するエンジンフード内に４サイクルエンジンを収容し、前記エンジンフードの最上部に上方への膨出部を形成し、この膨出部の前側にヘッドランプを設けた雪上車において、
前記４サイクルエンジンを、クランク軸が車体幅方向に沿いシリンダの中心軸線が車体垂直方向線に対して後向きに傾いた後傾エンジンとし、シリンダヘッドを前記ヘッドライトの下方に配置すると共に、
前記シリンダヘッド前部の排気ポートに繋がる排気マニホールドと、エンジン前方に位置しエキゾーストパイプを介して前記排気マニホールド出側部に繋がる排気マフラとが、前記エンジンフード内に配置されたものであり、エンジンシリンダより排気マフラが下方に位置し、排気マニホールドに繋がるエキゾーストパイプが排気マフラに向けて前下がりに延在することを特徴とする４サイクルエンジンを搭載した雪上車。
【請求項２】  前記マフラからの排気導出路の開口を車体下面部の車幅方向中央部位置に設け、この開口から排気を車体外部に向けて放出するようにしたことを特徴とする請求項１に記載の４サイクルエンジンを搭載した雪上車。
【請求項３】  マフラは概略筒状体であってその筒状体軸が車幅方向に沿い、車幅方向一側に繋がれたらエキゾーストパイプを介してエンジンからの排気がマフラ内に導入されるようにしたことを特徴とする請求項１または２に記載の４サイクルエンジンを搭載した雪上車。
【請求項４】  エンジンフード内では、４サイクルエンジンをそのクランク軸方向中心位置が車体幅方向中心位置に対して一側に偏倚するように配置したことを特徴とする請求項１ないし３のうちのいずれか１項に記載の４サイクルエンジンを搭載した雪上車。
【請求項５】  エンジンフード内には、エンジンを挟んで車幅方向一側にクラッチ装置を配設し、該車幅方向他側にバッテリを配設したことを特徴とする請求項４に記載の４サイクルエンジンを搭載した雪上車。
【請求項６】  バッテリを載置するバッテリホルダ部に電装品を設置することを特徴とする請求項５に記載の４サイクルエンジンを搭載した雪上車。
【手続補正２】
【補正対象書類名】明細書
【補正対象項目名】００１２
【補正方法】変更
【補正の内容】
【００１２】
【課題を解決するための手段】
本発明は、次に構成により前記目的を達成するものである。
すなわち、本発明は、車体前部で、座席シートより前方に位置するエンジンフード内に４サイクルエンジンを収容し、前記エンジンフードの最上部に上方への膨出部を形成し、この膨出部の前側にヘッドランプを設けた雪上車において、
前記４サイクルエンジンを、クランク軸が車体幅方向に沿いシリンダの中心軸線が車体垂直方向線に対して後向きに傾いた後傾エンジンとし、シリンダヘッドを前記ヘッドライトの下方に配置すると共に、
前記シリンダヘッド前部の排気ポートに繋がる排気マニホールドと、エンジン前方に位置しエキゾーストパイプを介して前記排気マニホールド出側部に繋がる排気マフラとが、前記エンジンフード内に配置されたものであり、エンジンシリンダより排気マフラが下方に位置し、排気マニホールドに繋がるエキゾーストパイプが排気マフラに向けて前下がりに延在することを特徴とする４サイクルエンジンを搭載した雪上車である。
【手続補正３】
【補正対象書類名】明細書
【補正対象項目名】００１３
【補正方法】変更
【補正の内容】
【００１３】
本発明によれば、エンジンフード最上部に上方への膨出部を形成し、この膨出部の前側にヘッドランプを設けた雪上車において、車体前部のエンジンフード内において４サイクルエンジンを後傾にすることにより、エンジン重心を車体中央部に近づけることができ、かつシリンダヘッド位置の低下によっても重心位置が低くなり、操縦性が向上し、雪上車の走行性能を向上できる。
また、エンジンの後傾でエンジン前方が広くなり、排気管など自由度を持たせて配置することができるより一層エンジンフードの高さを低くすることができる。
【手続補正４】
【補正対象書類名】明細書
【補正対象項目名】００１４
【補正方法】変更
【補正の内容】
【００１４】
また、エンジンフードの最上部に上方への膨出部を形成し、この膨出部の前部にヘッドランプを設けたものであるので、ヘッドランプを配設するエンジンフード最上部において、空いた空間となるヘッドランプ後方空間内に吸気系の一部を収容してスペース効率よく吸気系を収容できエンジンフードの形状を低くすることができる。
また、エンジンシリンダよりマフラが下方に位置し、排気マニホールドに繋がるエキゾーストパイプがマフラに向けて前方下がりに延在するので、エンジンからエキゾーストパイプ、マフラに亘って前下がりになり、空力性能向上のために前下がりのエンジンフード形状に沿った形状になる。
【手続補正５】
【補正対象書類名】明細書
【補正対象項目名】００１５
【補正方法】変更
【補正の内容】
【００１５】
なお、前記マフラからの排気導出路の開口を車体下面部の車幅方向中央部位置に設けてこの開口から排気を車体外部に向けて放出するようにしたものにできる。
このようにすれば、排気を車体下面の車幅方向中央部から放出でき、排気音が車体下側から両側に分かれしかも車体前部であるので、操縦者から遠くなり運転時は排気音が運転者の耳障りになることがない。また、車幅中央であるので、運転時の排気音が車体左右に同じになり、かつ下向きとすることで雪面や操舵用そりで跳ね上げた雪による消音効果が期待できる。
【手続補正６】
【補正対象書類名】明細書
【補正対象項目名】００１６
【補正方法】削除
【補正の内容】
【手続補正７】
【補正対象書類名】明細書
【補正対象項目名】００２４
【補正方法】変更
【補正の内容】
【００２４】
ここで、前記雪上車の構造について、さらに詳細に説明する。
【手続補正８】
【補正対象書類名】明細書
【補正対象項目名】００２９
【補正方法】変更
【補正の内容】
【００２９】
前記エンジンフード１４後部であって座席シート１２の直前には、やや後傾してステアリングシャフト（ステアリングポストともいう）５４が突出しており、このステアリングシャフト５４上端部に操舵用のバー状のステアリングハンドル５６が設けられる。ステアリングシャフト５４の下端部は前記クローラハウス部５２に隣接して車体に回動自在に支持されており、この下端部には、そり４０を左右に揺動操舵するステアリング機構４０ａに図示しないリンク機構で操舵力を伝達するようになっている。
【手続補正９】
【補正対象書類名】明細書
【補正対象項目名】００３０
【補正方法】変更
【補正の内容】
【００３０】
そして、エンジンフード１４内のエンジンルーム４６内に搭載された前記の後傾した４サイクルエンジン１６は、図１〜図８に示すように、下部のクランクケース５８底部がオイルパン１６ａになっており、オイルパン１６ａ内にはオイル吸上げ口にオイルストレーナ１６ｂが収容されている。また、前記エンジンクランクケース５８上部のシリンダ２４内で上下往復動するピストン２４ａの運動がコネクティングロッド５８ａを介してクランク軸２２の回転運動に変換される。そして、シリンダ２４上部に設けられたシリンダヘッド２６には、シリンダ２４内燃焼室に繋がる吸気ポート２８・排気ポート３６を開閉する吸気弁６０ａ・排気弁６２ａとその動弁機構６０ｂ．６２ｂが配設されている。このように、実施形態のエンジンは、ダブルオーバヘッドカム型の４サイクルエンジンである。
【手続補正１０】
【補正対象書類名】明細書
【補正対象項目名】００３１
【補正方法】変更
【補正の内容】
【００３１】
クランクケース５８上方であって、エンジンシリンダ２４の前部には、ウォータポンプ６４が配設され、エンジンシリンダ２４後部には、オルタネータ６６が配設されて、それぞれにドリブンプーリ６４ａ・６６ａが設けられており、これらとクランクケース５８外部のクランク軸２２に設けられたドライブプーリ２２ａとにタイミングベルト６８が巻きかけられてクランク軸２２の回転で駆動されるようになっている。これらウォータポンプ６４とオルタネータ６６とクランク軸２２との位置関係は側面視で概略逆三角形形状を呈し、タイミングベルト６８の上側経路はほぼシリンダヘッド２６とシリンダ２４の合わせ面と概略平行になっている。
【手続補正１１】
【補正対象書類名】明細書
【補正対象項目名】００３６
【補正方法】変更
【補正の内容】
【００３６】
また、前記エンジンシリンダ２４よりマフラ７８が下方に位置し、排気マニホールド７４に繋がるエキゾーストパイプ７６がマフラ７８に向けて前方下がりに延在する。排気マニホールド７４は、入側部分が４サイクルエンジン１６の複数の排気ポート３６（実施形態ではシリンダが３気筒で３箇所）に対応して複数あり、エキゾーストパイプ７６に繋がる出側部分は一括しており、この一括した部分が前方下がりになっている。
【手続補正１２】
【補正対象書類名】明細書
【補正対象項目名】００３８
【補正方法】変更
【補正の内容】
【００３８】
また、エンジンフード１４内では、４サイクルエンジン１６をそのクランク軸２２方向中心位置１６Ｃが車体幅方向中心位置ＳＣに対して一側に偏倚するように配置した（図４参照）。
また、エンジンフード１４内には、４サイクルエンジン１４を挟んで車幅方向一側（実施形態では車体左側）にクラッチ装置８２を配設し、該車幅方向他側にバッテリ８６を配設している。
クラッチ装置８２は、エンジンクランク軸出力端に設置されたドライブクラッチプーリ８２ａと、クローラ用ドライブスプロケット軸８４におけるスプロケット８４ａの反対端に設置されたドリブンクラッチプーリ８２ｂと、断面Ｖ字形状のＶベルト８２ｃとからなるＶベルト変速装置を兼用したものである。
【手続補正１３】
【補正対象書類名】明細書
【補正対象項目名】００３９
【補正方法】変更
【補正の内容】
【００３９】
また、バッテリ８６をがたつきの無いように収容して載置するバッテリホルダ部８８には、ＥＣＵやＣＤＩユニットなどの電装品９０を設置することが好ましい。
図４、図６に示すように、バッテリホルダ部８８が断面Ｌ字形状の金具で形成されており、図６の（ａ）に示すように、電装品９０をバッテリ８６と背中合わせに設置したり、（ｂ）に示すように、電装品９０をバッテリ８６より上方に設置したりできる。
【手続補正１４】
【補正対象書類名】明細書
【補正対象項目名】００４２
【補正方法】変更
【補正の内容】
【００４２】
また、排気系３８を、シリンダヘッド２６前部の排気ポート３６に繋がる排気マニホールド７４と、エンジン前方に位置すると共にエキゾーストパイプ７６を介して排気マニホールド７４出側部に繋がる排気マフラ７８とがエンジンフード１４内に配置されたものとし、該マフラ７８からの排気導出パイプ８０の開口８０ａを車体下面部の車幅方向中央部位置に設けて該開口８０ａから排気を車体外部に向けて放出するようにしたものにするので、排気を車体下面の車幅方向中央部から放出でき、排気音が車体下側から両側に分かれしかも車体前部であるので、操縦者から遠くなり運転時は排気音が運転者の耳障りになることがない。また、車幅中央であるので、運転時の排気音が車体左右に同じになり、かつ下向きとすることで雪面や操舵用そりで跳ね上げた雪による消音効果が期待できる。
【手続補正１５】
【補正対象書類名】明細書
【補正対象項目名】００４３
【補正方法】変更
【補正の内容】
【００４３】
また、エンジンシリンダ２４よりマフラ７８が下方に位置し、排気マニホールド７４に繋がるエキゾーストパイプ７６がマフラ７８に向けて前方下がりに延在するので、エンジン１６からエキゾーストパイプ７６、マフラ７８に亘って前下がりになり、空力性能向上のために前下がりのエンジンフード１４形状に沿った形状になる。
【手続補正１６】
【補正対象書類名】明細書
【補正対象項目名】００４８
【補正方法】変更
【補正の内容】
【００４８】
【発明の効果】
以上説明したとおり、この発明によれば、４サイクルエンジンを後傾にしたので、直立エンジンに比較してエンジン全高をはるかに抑えてエンジンフードおよびヘッドランプとの干渉を避けることができる。
また、車体前部のエンジンフード内において４サイクルエンジンを後傾にすることにより、エンジン重心を車体中央部に近づけることができ、かつシリンダヘッド位置の低下によっても重心位置が低くなり、操縦性が向上し、雪上車の走行性能を向上できる。
また、エンジンの後傾でエンジン前方が広くなり、排気管など自由度を持たせて配置することができるより一層エンジンフードの高さを低くすることができる。
【手続補正１７】
【補正対象書類名】明細書
【補正対象項目名】００４９
【補正方法】変更
【補正の内容】
【００４９】
また、エンジンフードの最上部に上方への膨出部を形成し、この膨出部の前部にヘッドランプを設けており、ヘッドランプを配設するエンジンフード最上部において、空いた空間となるヘッドランプ後方空間内に吸気系の一部を収容してスペース効率よく吸気系を収容できエンジンフードの形状を低くすることができる。
また、エンジンシリンダよりマフラが下方に位置し、排気マニホールドに繋がるエキゾーストパイプがマフラに向けて前方下がりに延在することができる。このようにすれば、エンジンからエキゾーストパイプ、マフラに亘って前下がりになり、空力性能向上のために前下がりのエンジンフード形状に沿った形状になる。
【手続補正１８】
【補正対象書類名】明細書
【補正対象項目名】００５０
【補正方法】変更
【補正の内容】
【００５０】
なお、前記マフラからの排気導出路の開口を車体下面部の車幅方向中央部位置に設けて該開口から排気を車体外部に向けて放出するようにしたものにできる。
このようにすれば、排気を車体下面の車幅方向中央部から放出でき、排気音が車体下側から両側に分かれしかも車体前部であるので、操縦者から遠くなり運転時は排気音が運転者の耳障りになることがない。また、車幅中央であるので、運転時の排気音が車体左右に同じになり、かつ下向きとすることで雪面や操舵用そりで跳ね上げた雪による消音効果が期待できる。
【手続補正１９】
【補正対象書類名】明細書
【補正対象項目名】００５１
【補正方法】削除
【補正の内容】